(57)【要約】  空気調和機の室内機は、送風ファンからの空気の吐出方向を囲う熱交換器（４）と、熱交換器（４）の下方に配置されるドレンパン（５）と、ドレンパン（５）上に設置され、ドレン水を抗菌する抗菌剤を有する抗菌ユニット（１５）と、を備えている。そして、抗菌ユニット（１５）の少なくとも一部が、熱交換器（４）の直下に配置されている。これにより、吹出風路の断面積の減少を抑制しつつ、抗菌剤をドレンパン（５）上に設置した空気調和機の室内機を提供する。
2017006466.tif 000002
【特許請求の範囲】
【請求項１】
筐体内に設けられる送風ファンと、
前記送風ファンからの空気の吐出方向を囲う熱交換器と、
前記熱交換器の下方に配置されるドレンパンと、
前記ドレンパン上に設置され、ドレン水を抗菌する抗菌剤を有する抗菌ユニットと、を備え、
前記抗菌ユニットの少なくとも一部が、前記熱交換器の直下に配置されることを特徴とする空気調和機の室内機。
【請求項２】
前記ドレンパンは、該ドレンパン上における前記熱交換器の上流側に位置する一次空間と下流側に位置する二次空間とを仕切る仕切壁を有し、
前記仕切壁には、前記一次空間と前記二次空間とを連通させるように一部が切り欠かれた開口溝部が形成されており、
前記抗菌ユニットは、前記仕切壁の前記開口溝部に設置されることを特徴とする請求項１に記載の空気調和機の室内機。
【請求項３】
前記ドレンパンに溜まるドレン水を排出するドレンポンプを備え、
前記ドレンポンプと前記抗菌ユニットとは、平面視して四角形状を呈する前記筐体内の同じ隅部に設置されることを特徴とする請求項１または請求項２に記載の空気調和機の室内機。
【請求項４】
前記開口溝部の底面は、前記ドレンパンの前記一次空間側の底面および前記二次空間側の底面と同一の高さに設定されていることを特徴とする請求項２に記載の空気調和機の室内機。
【請求項５】
前記熱交換器は、平面視して四角形状を呈する前記筐体内の一の隅部において２箇所の屈曲部を有し、
前記抗菌ユニットは、平面視して前記２箇所の屈曲部の間に配置されることを特徴とする請求項１または請求項２に記載の空気調和機の室内機。
【請求項６】
前記抗菌ユニットは、該抗菌ユニットの平面視した長手方向が前記熱交換器の平面視した延在方向に沿うように設置されることを特徴とする請求項１または請求項２に記載の空気調和機の室内機。
【請求項７】
前記抗菌ユニットの上に、該抗菌ユニットと前記熱交換器との間の隙間を埋める空気の抵抗体が設置されることを特徴とする請求項１または請求項２に記載の空気調和機の室内機。
【発明の詳細な説明】
【技術分野】
【０００１】
本発明は、空気調和機の室内機に関し、特に、天井埋込み型の空気調和機の室内機に関する。
【背景技術】
【０００２】
空気調和機の室内機として、室内機が天井に埋め込まれるタイプ（天井埋込み型）のものがある。天井埋込み型の空気調和機の室内機は、遠心ファンを回転させることによって、室内の空気を吸い込み、吸込んだ空気を熱交換器で冷却して、吹出口から吹き出すことで室内を冷房する。【０００３】
このような空気調和機の室内機では、冷房運転時に、熱交換器においてドレン水が発生し、ドレン水はドレンパンに溜まり、ドレンポンプにて室内機の外に排出される。しかし、ドレンポンプはその吸出限度高さよりも下にあるドレン水を排出することができないため、運転停止後には必ず一定量のドレン水がドレンパンに残留する。この残留したドレン水に細菌が繁殖し、ドロドロのスライムが発生して、ドレンポンプを詰まらせる不具合が発生することがある。【０００４】
かかる不具合を防止するために、ドレンパンの内側に抗菌剤を設置する対策が一般に行われている。
従来では、例えば、液体の抗菌剤をドレンパンの内面に塗ったり、ドレンパンの表面における樹脂のドレンパンシートに抗菌剤を練り込んだりして、抗菌剤が少しずつドレン水に溶け出すようにした方策がある。しかし、この方策では、比較的早く抗菌効果が弱くなってしまうので、抗菌効果を持続させるためにドレンパン自体を交換しなければならなかった。
そこで、最近では、固形の抗菌剤をケースに入れてドレンパンの底面に設置することが一般に行われている（特許文献１、２参照）。
【先行技術文献】
【特許文献】
【０００５】
【特許文献１】特許第４８２１３４２号公報
【特許文献２】特許第４２５２５３０号公報
【発明の概要】
【発明が解決しようとする課題】
【０００６】
抗菌剤は、ドレン水を効率良く抗菌するために、ドレンパンにおけるドレン水が集まるドレンポンプの近くに設置されることが多い。また、ドレンポンプの近くには、ドレン水のドレンパンからのオーバーフローを防止するためのフロートスイッチが設置されている。したがって、ドレンパン上のこのような各種部品が設置される箇所に、抗菌剤を設置するスペースが新たに必要となる。【０００７】
しかしながら、ドレンパン上のドレンポンプ付近に抗菌剤の設置スペースを設けるためにドレンパンを広げる（大きくする）ことは、ドレンパンと本体ケースとの間に形成される冷却空気の吹出風路の断面積を小さくすることになる。このため、騒音の増加や、ファン動力の増加を招いてしまう。特に、小型の室内機では、標準の室内機と同じドレンポンプ、フロートスイッチ、および抗菌剤が一般に利用されるため、これらの部品が占めるスペースのドレンパン全体に対する割合が大きくなり、吹出風路の断面積の減少度合いが一層大きくなる。【０００８】
本発明は、前記した事情に鑑みてなされたものであり、吹出風路の断面積の減少を抑制しつつ、抗菌剤をドレンパン上に設置した空気調和機の室内機を提供することを課題とする。
【課題を解決するための手段】
【０００９】
上記課題を解決するために、本発明に係る空気調和機の室内機は、筐体内に設けられる送風ファンと、前記送風ファンからの空気の吐出方向を囲う熱交換器と、前記熱交換器の下方に配置されるドレンパンと、前記ドレンパン上に設置され、ドレン水を抗菌する抗菌剤を有する抗菌ユニットと、を備え、前記抗菌ユニットの少なくとも一部が、前記熱交換器の直下に配置される。
【発明の効果】
【００１０】
本発明によれば、吹出風路の断面積の減少を抑制しつつ、抗菌剤をドレンパン上に設置した空気調和機の室内機を提供することができる。
【図面の簡単な説明】
【００１１】
【図１】本発明の一実施形態に係る空気調和機の室内機の半断面図である。
【図２】図１に示される室内機における空気の流れを説明するための断面斜視図である。
【図３】図１に示される室内機のドレンポンプ周辺を示す断面斜視図である。
【図４】ドレンパン上における抗菌ユニットの設置状態を説明するための斜視図である。
【図５】ドレンパン上における抗菌ユニットの設置状態を説明するための平面図である。
【図６】比較例としての抗菌ユニットの設置位置を示す平面図である。
【図７】本実施形態における抗菌ユニットの設置位置を示す平面図である。
【図８】図７のＡ−Ａ線に沿う断面図である。
【図９】図７のＢ−Ｂ線に沿う断面図である。
【図１０】本実施形態の変形例を説明するための図である。
【発明を実施するための形態】
【００１２】
本発明の実施形態について、適宜図面を参照しながら詳細に説明する。
なお、以下に示す図面において、同一の部材には同一の参照符号を付している。
【００１３】
図１は、本発明の一実施形態に係る空気調和機の室内機（以下、単に「室内機」ともいう）１００の半断面図である。図２は、図１に示される室内機１００における空気の流れを説明するための断面斜視図である。図２は、化粧パネル４２（図１参照）が取り外された状態を示している。
【００１４】
図１に示すように、本実施形態に係る室内機１００は、天井４１に埋め込まれるタイプ（天井埋込み型）の室内機である。本実施形態における空気調和装置は、室内機１００と室外機（図示せず）とが冷媒配管（図示せず）によって接続されて冷凍サイクルを構成し、空気調和を行う。
【００１５】
室内機１００は、本体ケース１と化粧パネル４２とを有している。化粧パネル４２の下面が室内に臨んでおり、本体ケース１が天井４１の内部に埋め込まれて配置される。化粧パネル４２は、天井４１の表面とほぼ面一となるように、本体ケース１の下方に取り付けられる。本体ケース１は天井裏(天井４１の表面よりも上)に吊金具と吊ボルト（図示せず）を用いて据え付けられ固定される。化粧パネル４２は、本体ケース１にネジ部材（図示せず）などを使用して固定される。
【００１６】
本体ケース１は、筐体１ａと断熱材１ｂとを備えている。筐体１ａは、平面視して四角形状を呈しており、金属板を用いて下方に開口をもつ有底箱状に形成されている。ここで「四角形状」というのは「厳密な四角形状」のほか、例えば角部が面取りされたり丸くされたりした「略四角形状」をも含む概念である。筐体１ａは、２枚以上の板金がプレスで所定形状に成形され、ネジ止め、リベットなどで接合されて形成される。本体ケース１には、断熱や結露防止、防音などのための断熱材１ｂが、筐体１ａの内部に開口を下に向けて配置されている。
【００１７】
室内機１００は、筐体１ａ内に設けられる送風ファン２と、送風ファン２からの空気の吐出方向を囲う熱交換器４と、熱交換器４の下方に配置されるドレンパン５と、を備えている。送風ファン２は、例えば遠心ファンであり、空気の流れの向きを略９０度変えて熱交換器４に送る。送風ファン２は、筐体１ａ内に設けられるファンモータ３によって回転駆動される。ファンモータ３は、筐体１ａの天板に固定されている。送風ファン２とファンモータ３とで送風機が構成されている。
【００１８】
ドレンパン５は、熱交換器４の表面で結露して滴下するドレン水を受けて回収する。ドレンパン５は、例えば発泡スチロール成形品であり、ドレン水が接する内面側に例えばＡＢＳ樹脂などの樹脂からなる樹脂層が形成されている。
【００１９】
室内機１００の下面中央には、空気の吸込口６が設けられている。また、室内機１００の下面周縁には、空気の吹出口７（ここでは４箇所）が設けられている。送風ファン２は、吸込口６と吹出口７とを結ぶ筐体１ａ内の空気通路に設けられる。熱交換器４は、送風ファン２と吹出口７との間に配置される。そして、送風ファン２と吸込口６との間には、ベルマウス８が設けられている。
【００２０】
図２に示すように、室内の空気２１は、送風ファン２の回転動作により、吸込口６（図１参照）から吸い込まれ、送風ファン２を抜けて熱交換器４に向けて吹き出される。冷房運転の場合には、熱交換器４を通過することによって空気２１は冷却される。熱交換器４を抜けて冷却された空気２１は、ドレンパン５と、本体ケース１の断熱材１ｂとの間に形成される吹出風路９を通り、吹出口７（図１参照）を経て、室内機１００から室内へ吹き出される。
【００２１】
図３は、図１に示される室内機１００のドレンポンプ１４周辺を示す断面斜視図である。図４は、ドレンパン５上における抗菌ユニット１５の設置状態を説明するための斜視図である。図５は、ドレンパン５上における抗菌ユニット１５の設置状態を説明するための平面図である。図４では、説明の都合上、熱交換器４の表示を省略している。
【００２２】
図３〜図４に示すように、ドレンパン５は、該ドレンパン５上における熱交換器４の空気２１（図２参照、以下同様）の流れの上流側（一次側）に位置する一次空間と下流側（二次側）に位置する二次空間とを仕切る仕切壁１２を有している。また、仕切壁１２には、前記一次空間と前記二次空間とを連通させるように一部が切り欠かれた開口溝部１３が形成されている。
【００２３】
室内の空気２１が熱交換器４によって除湿されると、ドレン水が発生する。ドレン水は、ドレンパン５上における一次空間に流れ落ちるドレン水１０と、ドレンパン５上における二次空間に流れ落ちるドレン水１１とに分かれる。
【００２４】
室内機１００（図１参照、以下同様）は、ドレンパン５に溜まるドレン水を排出するドレンポンプ１４を備えている。ドレンパン５上における一次空間に流れ落ちるドレン水１０は、仕切壁１２の開口溝部１３を通ってドレンポンプ１４の方に導かれる。ドレン水１０とドレン水１１とは、仕切壁１２の開口溝部１３付近で合流し、ドレンポンプ１４で吸い上げられて、機外へ排出される。ドレンポンプ１４は、その吸出限度高さよりも下のドレン水を排出することができないため、空気調和機の運転停止後には、必ず一定量のドレン水がドレンパン５に残留する。この残留したドレン水に細菌が繁殖し、ドロドロのスライムが発生し、ドレンポンプ１４を詰まらせる不具合が発生することがある。
【００２５】
これを防止するための方策として、ドレンパン５上には、ドレン水を抗菌する抗菌剤を有する抗菌ユニット１５が設置されている。抗菌ユニット１５は、固形の抗菌剤を樹脂製のケース内に収容して構成されている。ケースの壁部には、ドレン水をケース内に通過可能にする複数の通孔が形成されている。抗菌ユニット１５は、例えばネジ部材１６を用いて、ドレンパン５上に固定されている。
【００２６】
抗菌ユニット１５は、ドレンパン５上におけるドレンポンプ１４の近くに設置されることが好ましい。ドレンポンプ１４の吸出口１４ａに対向する位置のドレンパン５の底面は、周辺部と比較してより低く形成されており、ドレンポンプ１４に向けてドレン水が集まるようになっているからである。
【００２７】
図５に示すように、ドレンパン５は、平面視して四角枠形状を呈している。ここで「四角枠形状」というのは「厳密な四角枠形状」のほか、例えば角部が外側に拡張されたり面取りされたりした「略四角枠形状」をも含む概念である。ドレンポンプ１４は、フロートスイッチ１７とともに、ドレンパン５の角部に設置されるのが一般的である。
【００２８】
送風ファン２の回転軸心の半径方向においてドレンパン５と本体ケース１の断熱材１ｂ（図２参照）との間に形成される吹出風路９は、周方向においては、四角枠形状を呈するドレンパン５の隣り合う角部同士の間に形成されている。吹出風路９は、ここでは４箇所形成されている。図５に示す符号Ｌ１〜Ｌ４は、各吹出風路９における空気の流れ方向に垂直な断面の周方向の長さ（以下、「風路断面の周方向寸法）ともいう）を示している。
【００２９】
フロートスイッチ１７は、ドレンパン５に溜まるドレン水が所定量以上となったことを検知する。フロートスイッチ１７によってドレンパン５に溜まるドレン水が所定量以上となったことが検知されると、空気調和機の運転が停止される。これにより、ドレン水のドレンパン５からのオーバーフローを防止できるようになっている。
【００３０】
ところで、特に小型の天井埋込み型の空気調和機の室内機１００では、ドレンパン５の角部における部品の設置スペースが狭小となっており、ドレンポンプ１４とフロートスイッチ１７と抗菌ユニット１５とをドレンパン５の同じ角部に配置するのは難しい。
【００３１】
図６は、比較例としての抗菌ユニット１５の設置位置を示す平面図である。図６に示す比較例は、ドレンパン５の角部の設置スペースを広げた（大きくした）例である。しかし、この比較例では、風路断面の周方向寸法Ｌ０は、ドレンパン５の角部の設置スペースを広げた分だけ短くなる。このため、吹出風路９の断面積が減少することになり、騒音の増加や、ファン動力の増加を引き起こすおそれがある。
【００３２】
ドレン水の発生量は、ドレン水１１（図３参照）よりもドレン水１０（図３参照）の方が多い。これは、熱交換器４においては一次側（空気の流れの上流側）から１列目の冷媒配管付近が最も熱交換量が高いためである。図６に示すように、ドレンポンプ１４に向けて集まるドレン水１０、１１（図３参照）は、４つの経路にそれぞれ沿うドレン水１０ａ、１０ｂ、１１ａ、１１ｂとなって流れる。しかし、図６に示す比較例では、ドレン水１０ａ、１０ｂ、１１ｂが抗菌ユニット１５から遠い所を流れるために、抗菌ユニット１５による抗菌がしにくくなり、抗菌効果が十分に発揮できないおそれがある。
【００３３】
図７は、本実施形態における抗菌ユニット１５の設置位置を示す平面図である。
図７に示すように、本実施形態では、抗菌ユニット１５は、熱交換器４の直下に配置される（図３も参照）。ここでは、抗菌ユニット１５の殆ど全体が熱交換器４の直下に配置されているが、抗菌ユニット１５の一部が熱交換器４の直下に配置される構成であってもよい。
【００３４】
具体的には、抗菌ユニット１５は、ドレンパン５における仕切壁１２の開口溝部１３に設置されている。開口溝部１３は、抗菌ユニット１５の大きさに対応した大きさに形成されており、抗菌ユニット１５が開口溝部１３内に嵌着されるようになっている。これにより、本実施形態における風路断面の周方向寸法Ｌ１は、抗菌ユニット１５を設置しない場合の寸法と同じ寸法を確保することができる。つまり、本実施形態によれば、比較例における風路断面の周方向寸法Ｌ０のように抗菌ユニット１５を設置しない場合の寸法Ｌ１よりもΔＬ短くする必要がない。
【００３５】
図５、図７に示すように、ドレンポンプ１４と抗菌ユニット１５とフロートスイッチ１７とは、平面視して四角枠形状を呈するドレンパン５の同じ角部、すなわち、平面視して四角形状を呈する筐体１ａ内の四つの隅部のうちの同じ一つの隅部に設置されている。
【００３６】
熱交換器４は、筐体１ａ内の一の隅部、具体的にはドレンポンプ１４が設置される隅部において２箇所の屈曲部４ａを有している。そして、抗菌ユニット１５は、平面視して前記２箇所の屈曲部４ａ、４ａの間に配置されている。また、抗菌ユニット１５は、抗菌ユニット１５の平面視した長手方向が、熱交換器４の平面視した延在方向に沿うように設置されている。
【００３７】
図８は、図７のＡ−Ａ線に沿う断面図である。図９は、図７のＢ−Ｂ線に沿う断面図である。
図８に示すように、開口溝部１３の底面は、ドレンパン５の一次空間（熱交換器４の上流側に位置する空間）側の底面および二次空間（熱交換器４の下流側に位置する空間）側の底面と同一の高さに設定されている。
【００３８】
仕切壁１２は、空気２１（図２参照、以下同様）が熱交換器４を通らないで熱交換器４の二次側（下流側）へ抜けてしまうのを防止する機能を有している。そして、仕切壁１２の上に、該仕切壁１２と熱交換器４との間の隙間を埋める空気の抵抗体３０が設置されている。また、仕切壁１２の開口溝部１３は、空気２１が通らず、ドレン水のみを通すことが望ましい。このため、図９に示すように、抗菌ユニット１５の上に、該抗菌ユニット１５と熱交換器４（および抵抗体３０）との間の隙間を埋める空気の抵抗体３１が設置されている。抵抗体３０、３１の材料としては、例えば発泡ゴムなどの材料が使用され得る。なお、図１などの他の図では、説明の都合上、抵抗体３０、３１の表示を省略している。
【００３９】
前記したように、本実施形態に係る空気調和機の室内機１００は、送風ファン２からの空気の吐出方向を囲う熱交換器４と、熱交換器４の下方に配置されるドレンパン５と、ドレンパン５上に設置され、ドレン水を抗菌する抗菌剤を有する抗菌ユニット１５と、を備え、抗菌ユニット１５の少なくとも一部が、熱交換器４の直下に配置されている。
【００４０】
このような本実施形態によれば、吹出風路９の断面積の減少を抑制しつつ、抗菌剤をドレンパン５上に設置した空気調和機の室内機１００を提供することができる。したがって、吹出風路の断面積が小さくなって、騒音の増加や、ファン動力の増加を引き起こすこともなくなる。
【００４１】
また、本実施形態では、抗菌ユニット１５は、ドレンパン５における仕切壁１２の開口溝部１３に設置されている。この構成では、ドレンパン５上の仕切壁１２に抗菌ユニット１５に対応した開口溝部１３を形成することによって、抗菌ユニット１５を効率良くドレンパン５上に設置することができる。また、ドレンパン５上を流れるドレン水が通過、あるいは合流する部分となる開口溝部１３に抗菌ユニット１５が設置されているため、抗菌ユニット１５による抗菌効果を十分に発揮させることが可能となる。
【００４２】
また、本実施形態では、ドレンポンプ１４と抗菌ユニット１５とフロートスイッチ１７とが筐体１ａ内の同じ隅部に設置されている。したがって、抗菌ユニット１５をドレンパン５上におけるドレンポンプ１４やフロートスイッチ１７の近くの狭小なスペースに設置することができる。また、ドレンポンプ１４に向けてドレン水が集まるようになっているため、ドレンポンプ１４の周りのドレン水を効率良く抗菌してスライムの発生をより効果的に防止することができる。
【００４３】
また、本実施形態では、開口溝部１３の底面と、ドレンパン５の一次空間側の底面および二次空間側の底面とが同一の深さとなっているため、ドレン水の流れが妨げられることがない。これにより、ドレン水が滞留して細菌が繁殖することを抑制できる。
【００４４】
また、本実施形態では、抗菌ユニット１５は、筐体１ａ内の一の隅部における熱交換器４の２箇所の屈曲部４ａ、４ａの間に配置されている。このため、筐体１ａ内の隅部にドレンポンプ１４が設置されるスペースを確保できるとともに、抗菌ユニット１５をドレンポンプ１４の近くに効率良く配置することができる。
【００４５】
また、本実施形態では、抗菌ユニット１５の平面視した長手方向が、熱交換器４の平面視した延在方向に概ね沿うようになっている。このため、抗菌ユニット１５の大部分を熱交換器４の直下に位置させることができ、吹出風路９の断面積の減少をより抑制することが可能となる。
【００４６】
また、本実施形態では、抗菌ユニット１５の上に空気の抵抗体３１が設置されている。この構成では、仕切壁１２の開口溝部１３における抗菌ユニット１５と熱交換器４との間の隙間は、抵抗体３１によって埋められるため、空気２１を通さずに、ドレン水のみを通すことが可能となる。また、室内機１００の冷房運転時において抗菌ユニット１５の高さまでドレン水がある場合には、空気２１が熱交換器４の二次側へ抜けてしまうのを防ぐことができる。
【００４７】
以上、本発明について実施形態に基づいて説明したが、本発明は前記した実施形態に限定されるものではなく、様々な変形例が含まれる。例えば、前記した実施形態は本発明を分かりやすく説明するために詳細に説明したものであり、必ずしも説明した全ての構成を備えるものに限定されるものではない。また、実施形態の構成の一部について、他の構成の追加・削除・置換をすることが可能である。
【００４８】
図１０は、本実施形態の変形例を説明するための図である。
前記した実施形態では、抗菌ユニット１５は、ドレンパン５における仕切壁１２の開口溝部１３に設置されているが、本発明はこれに限定されるものではない。例えば図１０に示すように、ドレンパン５ａが、第１底面１２ａとこれよりも低い第２底面１２ｂとから構成される段差を有していてもよい。この場合、第１底面１２ａにおける熱交換器４の下方に位置する部分に凹部１３ａを形成して、この凹部１３ａに抗菌ユニット１５を設置するとよい。
【符号の説明】
【００４９】
１      本体ケース
１ａ    筐体
２      送風ファン
３      ファンモータ
４      熱交換器
４ａ    屈曲部
５、５ａ  ドレンパン
６      吸込口
７      吹出口
８      ベルマウス
９      吹出風路
１０、１１  ドレン水
１２    仕切壁
１３    開口溝部
１４    ドレンポンプ
１５    抗菌ユニット
１７    フロートスイッチ
２１    空気
３０、３１  抵抗体
１００  空気調和機の空調機
【図１】
2017006466.tif 000003
【図２】
2017006466.tif 000004
【図３】
2017006466.tif 000005
【図４】
2017006466.tif 000006
【図５】
2017006466.tif 000007
【図６】
2017006466.tif 000008
【図７】
2017006466.tif 000009
【図８】
2017006466.tif 000010
【図９】
2017006466.tif 000011
【図１０】
2017006466.tif 000012
【手続補正書】
【提出日】平成28年6月27日(2016.6.27)
【手続補正１】
【補正対象書類名】特許請求の範囲
【補正対象項目名】全文
【補正方法】変更
【補正の内容】
【特許請求の範囲】
【請求項１】
筐体内に設けられる送風ファンと、
前記送風ファンからの空気の吐出方向を囲う熱交換器と、
前記熱交換器の下方に配置されるドレンパンと、
前記ドレンパン上に設置され、ドレン水を抗菌する抗菌剤を有する抗菌ユニットと、を備え、
前記抗菌ユニットの少なくとも一部が、前記熱交換器の直下に配置され、
前記ドレンパンは、該ドレンパン上における前記熱交換器の上流側に位置する一次空間と下流側に位置する二次空間とを仕切る仕切壁を有し、
前記仕切壁には、前記一次空間と前記二次空間とを連通させる開口溝部が形成されており、
前記抗菌ユニットは、前記仕切壁の前記開口溝部に設置されることを特徴とする空気調和機の室内機。
【請求項２】
（削除）
【請求項３】
前記ドレンパンに溜まるドレン水を排出するドレンポンプを備え、
前記ドレンポンプと前記抗菌ユニットとは、平面視して四角形状を呈する前記筐体内の同じ隅部に設置されることを特徴とする請求項１に記載の空気調和機の室内機。
【請求項４】
前記開口溝部の底面は、前記ドレンパンの前記一次空間側の底面および前記二次空間側の底面と同一の高さに設定されていることを特徴とする請求項１に記載の空気調和機の室内機。
【請求項５】
前記熱交換器は、平面視して四角形状を呈する前記筐体内の一の隅部において２箇所の屈曲部を有し、
前記抗菌ユニットは、平面視して前記２箇所の屈曲部の間に配置されることを特徴とする請求項１に記載の空気調和機の室内機。
【請求項６】
前記抗菌ユニットは、該抗菌ユニットの平面視した長手方向が前記熱交換器の平面視した延在方向に沿うように設置されることを特徴とする請求項１に記載の空気調和機の室内機。
【請求項７】
前記抗菌ユニットの上に、該抗菌ユニットと前記熱交換器との間の隙間を埋める空気の抵抗体が設置されることを特徴とする請求項１に記載の空気調和機の室内機。
【国際調査報告】
2017006466.tif 000013
2017006466.tif 000014
2017006466.tif 000015
2017006466.tif 000016